(57)【要約】      （修正有）【課題】光ディスク装置においてレーザ光線の照射による光ディスクの劣化を軽減する。【解決手段】光ディスクの再生中、再生データのエラーレートが目標とするエラーレートの上限値と下限値の間に収まるレーザの発光パワーを見定め、この発光パワーを目標パワーとしてレーザの発光パワー制御を行う。発光パワー制御は、レーザに供給する直流電流量を制御、および／または、レーザに供給する高周波電流の振幅値を制御することにより行う。【選択図】図１
2011198443.tif 000002
【特許請求の範囲】
【請求項１】
光ディスク装置であって、
光ディスクに光線を照射するための光源であるレーザと、
前記レーザに直流電流、及び高周波電流を供給し発光させるレーザ駆動手段と、
前記レーザの発光パワーを検出する発光パワー検出手段と、
前記発光パワー検出手段を通じて前記レーザの発光パワーを監視し、前記レーザの発光パワーが目標パワーとなるよう前記レーザ駆動手段から前記レーザに供給する直流および高周波の電流量を制御する発光パワー制御手段と、
前記目標パワーを光ディスクの再生データのエラーレートに応じて決定し、前記発光パワー制御手段に対して前記目標パワーを与える目標パワー設定手段と、
を備え、
光ディスクの再生中に、再生データのエラーレートが、目標とするエラーレートの上限値と下限値との間に収まるようレーザの発光パワーを抑制することを特徴とする光ディスク装置。
【請求項２】
請求項１に記載の光ディスク装置であって、
レーザに供給する高周波電流の振幅値の制御によりレーザの発光パワーを調整することを特徴とする光ディスク装置。
【請求項３】
請求項１に記載の光ディスク装置であって、
レーザに供給する直流電流量の制御によりレーザの発光パワーを調整することを特徴とする光ディスク装置。
【請求項４】
請求項１に記載の光ディスク装置であって、
レーザに供給する直流電流量の制御、および、レーザに供給する高周波電流の振幅値の制御によりレーザの発光パワーを調整することを特徴とする光ディスク装置。
【発明の詳細な説明】
【技術分野】
【０００１】
本発明は、光ディスク装置に関するものである。
【背景技術】
【０００２】
光ディスク装置では、光ディスクからデータを再生する際の再生信号の品質が良好となるよう光ディスクに照射するレーザ光線のパワー調整が行われる。その一例として下記特許文献が挙げられる。
【先行技術文献】
【特許文献】
【０００３】
【特許文献１】特開２００２−１０９７４５号公報
【発明の概要】
【発明が解決しようとする課題】
【０００４】
良好な再生信号品質を得られるレーザの発光パワーであっても、繰り返し光ディスクに照射すると光ディスクに記録された記録マークの劣化が徐々に進み、終には光ディスクからデータを読み出せなくなるという課題がある。
【０００５】
本発明は、光ディスク装置においてレーザ光線の照射による光ディスクの劣化を軽減することを目的とする。
【課題を解決するための手段】
【０００６】
上記目的は、一例として、特許請求の範囲に記載の発明により達成される。
【発明の効果】
【０００７】
本発明により、レーザ光線による光ディスクの劣化が軽減でき、光ディスクから長期間に亘っての正常にデータを読み出すことができるようになる。
【図面の簡単な説明】
【０００８】
【図１】本発明に基づいた発光パワー制御を実施するため光ディスク装置構の成要素を示した図である。
【図２】光ディスクを再生する際のレーザの発光パワーと再生データとの関係の一例を示した図である。
【図３】本発明に基づいた発光パワー制御の動作を示した図である。
【図４】レーザに供給する電流と発光パワーとの関係を示した図である。
【発明を実施するための形態】
【０００９】
本発明に基づくレーザの発光パワー制御が適用された光ディスク装置では、光ディスクの再生中に、再生データのエラーレートが、目標とするエラーレートの上限値と下限値との間に収まるようレーザの発光パワーを見定め、この発光パワーを目標パワーとしてレーザの発光パワー制御を行う。その結果として、レーザの発光パワーが低く抑えられるので、レーザ光線による光ディスクの劣化が軽減され、長期間に亘って光ディスクから正常にデータを再生することができるようになる。以下、本発明の実施例を説明する。
【００１０】
図１に、本発明に基づくレーザの発光パワー制御を光ディスク装置において実施するために最低限必要な構成要素を示す。
【００１１】
図１において、１０１は光ディスクに照射する光線の光源であるレーザである。
１０２は、レーザ１０１に、直流電流、及び高周波電流を供給し、レーザ１０１を発光させるレーザ駆動手段である。
１０３は、レーザ１０１の発光パワーを検出する発光パワー検出手段である。
１０４は、発光パワー検出手段１０３を通じてレーザ１０１の発光パワーを監視し、同発光パワーが目標パワーと一致するようレーザ駆動手段１０２がレーザ１０１に供給する電流量を制御する発光パワー制御手段である。
１０５は、発光パワー制御手段が目標とする発光パワーを設定する目標パワー設定手段である。
【００１２】
目標パワー設定手段１０５では、光ディスクの再生データのエラーレートを監視しており、エラーレートが目標とするエラーレートの上限値と下限値との間に収まる発光パワーを見定め、この発光パワーを目標とパワーとして発光パワー制御手段１０４に与える。発光パワー制御手段１０４は、目標パワーが更新される都度、レーザ１０１の発光パワーが目標パワーと一致するよう働く。
以上の動作により、光ディスクの再生中に、再生データのエラーレートに応じたレーザの発光パワー制御が達成される。
【００１３】
上記動作における目標パワーは、レーザ光線の照射に伴う光ディスクの劣化を軽減すべく低く抑える必要があると同時に、光ディスクから正常にデータを再生することができる程度する必要がある。この目標パワーは、例えば、図２に示す発光パワーとエラーレートとの関係を踏まえて決定するとよい。
【００１４】
図２は、横軸をレーザの発光パワー、縦軸を再生データのエラーレートとしたグラフである。横軸は、右へ向うほど発光パワーが高くなることを示しており、縦軸は、上に向うほどエラーレートが増大、即ち、再生品質が悪化することを示している。
【００１５】
図２において、２０１は、発光パワーとエラーレートとの関係を表す曲線（一例）である。
２０２は、エラー訂正が不能となる再生限界エラーレートを表す。
２０３は、曲線２０１における、最良のエラーレートを表わす。
【００１６】
図２に示すように、発光パワーを２０４とすると、エラーレート２０３が得られ、発光パワーを２０４より低い２０５とすると、エラーレート２０６が得られる。エラーレート２０６は、エラーレート２０４に比較して品質は低いと言えるが、再生限界エラーレート２０２より低い値であるため、発生したエラーは、エラー訂正処理によって訂正され、正常なデータとして再生されることが期待される。本発明に基づく発光パワー制御では、エラーレート２０６のごとく、必ずしも最良ではないエラーレートを目標エラーレートとし、この目標エラーレートが得られる発光パワーを目標パワーとする。
【００１７】
ディスク装置においては、下記工程を実施することで目標パワーを見定めることができる。
【００１８】
先ず、光ディスク規格に定められた標準的パワーにてレーザを発光させ、光ディスクを所定時間再生し、再生データのエラーレートを確認する。エラーレートが目標とするエラーレートの下限値を下回っている場合は、レーザの発光パワーを所定量引き下げて再生を継続する。エラーレートが目標とするエラーレートの上限値を上回っている場合は、レーザの発光パワーを所定量引き上げて再生を継続する。
【００１９】
そして、所定時間経過した後に、再びエラーレートを確認し、エラーレートと、エラーレートの上限値、下限値との見合いで、レーザの発光パワーをさらに所定量加減する。このような動作を繰り返すと、エラーレートが目標とするエラーレートの下限値と上限値との間に収まる発光パワーが見つかる。この発光パワーを目標パワーとして定めればよい。
【００２０】
上記工程の一例を、図３を用いて説明する。
【００２１】
図３上段のグラフは、横軸を光ディスクの再生経過時間、縦軸を、エラーレートとしたものである。図３下段のグラフは、横軸を光ディスクの再生経過時間、縦軸を、発光パワーしたものである。両グラフの横軸は同期しており、両グラフの３０１、３０２、３０３、３０４、３０５、３０６、および、３０７は、同一の時刻を表わす。
【００２２】
図３上段のグラフにおいて、３０８は、再生データのエラーレートの推移を表わす。
３０９は、再生限界のエラーレート表わす。
３１０は、目標エラーレート上限値を表わす。
３１１は、目標エラーレート下限値を表わす。
【００２３】
図３下段のグラフにおいて、３１３は、レーザの発光パワーの推移を表わす。
【００２４】
図３の見方を説明する。図３は、時刻３０１に光ディスクの再生を開始し、所定時間を経る都度、エラーレートに応じて発光パワーが調整されることを示している。
３０２、３０３、３０４、および、３０５の各時刻においては、エラーレート３０８が目標エラーレート下限値３１１を下回ることから、各時刻におけるエラーレート３０８の確認後、発光パワー３１３の所定量引き下げが実施されたことを示している。
【００２５】
時刻３０６においては、エラーレート３０８が、目標エラーレート上限値３１０を上回っていることから、同時刻においてエラーレート３０８が確認された後、発光パワー３１３の所定量引き上げが実施されたことを示している。
そして、時刻３０７においては、エラーレート３０８が、目標エラーレート上限値３１０と目標エラーレート下限値３１１との間に収まっていることから、この時点の発光パワー３１３を目標パワーとして定めたことを示している。また、同時刻におけるエラーレート３０８の確認後、発光パワー３１３は変更されることなく維持されたことを示している。
【００２６】
以上、説明したように、光ディスクの再生中、エラーレートに応じて発光パワーを加減すると、目標パワーを見定めることができる。目標パワーが定まった後も、エラーレートを確認し、エラーレートに応じて目標パワーを更新してもよい。エラーレートは、所定時間中に再生したデータの平均値としてもよい。また、上記説明では、所定時間ごとにエラーレートを確認する例を示したが、これに限らす所定量のデータを再生するごとにエラーレートを確認してもよい。
なお、上記説明において、発光パワーを加減するとしたが、具体的には、レーザに供給する電流を調整するとよい。
【００２７】
図４に、横軸をレーザ供給電流、縦軸を発光パワーとしたグラフを示す。
同グラフにおいて、４０１は、レーザに供給された電流と発光パワーとの関係を表わすレーザ特性の一例である。
４０２は、レーザのしきい値電流であり、これを超える電流をレーザに供給すると、特性４０１に従ったパワーにてレーザが発光する。
【００２８】
例えば、図４において４０３にて指し示す直流成分と高周波成分とを含む電流をレーザに供給したとすれば、レーザは、４０４にて指し示すパワーにて発光することとなる。
【００２９】
発光パワーを４０４から下げるには、電流４０３に対して直流成分を減じた電流４０５をレーザに供給してもよいし、電流４０３に対して高周波成分を減じた電流４０７をレーザに供給してもよい。
【００３０】
レーザに電流４０５を供給した場合、レーザは、４０６にて指し示すパワーにて発光し、レーザに電流４０７を供給した場合、レーザは、４０８にて指し示すパワーにて発光することとなる。いずれの場合も、４０４に対して発光パワーを引き下げることができる。図示してはいないが、直流、高周波、両成分を同時操作しても発光パワーを引き下げることは可能である。
【００３１】
発光パワーを上げる際は、上記とは逆に、直流電流を増す、または、高周波電流を増すという操作を実施すればよい。この場合も、直流、高周波、両成分を同時操作しても発光パワーを引き引き上げることは可能である。
【００３２】
以上、説明したように、本発明に基づく発光パワー制御が光ディスク装置において実施されれば、レーザの発光パワーを低く抑えつつも、光ディスクから正常にデータを再生することができるようになる。そのため、レーザ光線を照射することで生じる光ディスクの劣化を軽減することができ、長期に亘って光ディスクから正常にデータを再生することができるようになる。
【００３３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００３４】
また、本発明は、再生用光ディスク装置や記録再生用光ディスク装置に適用することができる。
【００３５】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３６】
１０１  レーザ
１０２  レーザ駆動手段
１０３  発光パワー検出手段
１０４  発光パワー制御手段
１０５  目標パワー設定手段
【図１】
2011198443.tif 000003
【図２】
2011198443.tif 000004
【図３】
2011198443.tif 000005
【図４】
2011198443.tif 000006